(57)【要約】【課題】リモコン保管用としての壁掛け式ホルダーを別途設ける必要がなく、リモコンと配線器具本体等とのデザインを統一することができる配線器具を提供する。【解決手段】配線器具は、操作信号受信用の受信部を有し、この受信部でリモコン受光素子により受信された操作信号に応じて動作する配線器具本体１と、配線器具本体１の前面側に取り付けられて押操作されるハンドル４と、操作部および操作部に対する操作に応じて操作信号をワイヤレスで送信する送信器を有し、ハンドル４の前面に着脱自在に保持されるリモコン５とを備えている。ハンドル４を形成するハンドル本体４０の一端部４００における配線器具本体１の受信部の前方位置には、透過窓部４００ｄが穿設されており、配線器具本体１の受信部は、リモコン５をハンドル４の前面に取り付けた状態であっても、透過窓部４００ｄを通して別のリモコンから送信された操作信号を受信できるようになっている。【選択図】図１
2008172769.tif 000002
【特許請求の範囲】
【請求項１】
操作信号受信用の受信部を有し、壁に埋設された状態で前記受信部で受信された操作信号に応じて動作する配線器具本体と、操作部および当該操作部に対する操作に応じて前記操作信号をワイヤレスで送信する送信部を有し、前記配線器具本体の前面側に着脱自在に保持されるリモコンとを備え、前記受信部は、前記リモコンを前記配線器具本体の前面側に保持させた状態において、当該リモコンとは別のリモコンから送信される操作信号を受信可能に設けられたことを特徴とする配線器具。
【請求項２】
前記配線器具本体は、前記リモコンの操作部と対応する操作スイッチをさらに有し、当該操作スイッチに対する操作または前記受信部で受信された操作信号に応じて動作することを特徴とする請求項１記載の配線器具。
【請求項３】
前記配線器具本体は、当該配線器具本体の前面に取り付けられて前記操作スイッチを押操作するハンドルをさらに有し、前記リモコンは、前記ハンドルの前面に着脱自在に保持され、前記ハンドルは、前記リモコンが取り付けられる部位以外の部位であって前記配線器具本体の受信部に対応する部位に操作信号を透過させる透過窓部を有することを特徴とする請求項２記載の配線器具。
【請求項４】
前記配線器具本体は、当該配線器具本体の前面に設けられた枠状のプレートをさらに有し、前記リモコンは、前記プレートの枠内に可動式のハンドルとして着脱自在に保持され、当該リモコンが押操作に応じて前記配線器具本体の前面側に動いたときに当該配線器具本体の操作スイッチを押下する突起部を有するとともに、前記配線器具本体の受信部に対応する部位に操作信号を透過させる透過窓部を有することを特徴とする請求項２記載の配線器具。
【請求項５】
前記配線器具本体は、当該配線器具本体の前面に設けられた枠状のプレートおよび当該配線器具本体の操作スイッチを押操作するためのものであって前記プレートの枠内に設けられるハンドルをさらに有し、前記リモコンは、前記ハンドルの前面に着脱自在に保持され、前記リモコンおよび前記ハンドルは、前記配線器具本体の受信部に対応する部位に操作信号を透過させる透過窓部をそれぞれ有することを特徴とする請求項２記載の配線器具。
【請求項６】
前記配線器具本体は、当該配線器具本体の前面に設けられた枠状のプレートをさらに有し、前記プレートの枠内の一部には前記操作スイッチが填め込まれ、当該操作スイッチは、前面に前記受信部を有し、前記リモコンは、前記プレートの枠内の残部に着脱自在に収納されることを特徴とする請求項２記載の配線器具。
【請求項７】
前記配線器具本体は、当該配線器具本体の前面に設けられた枠状のプレートをさらに有し、前記リモコンは、前記プレートの枠内に着脱自在に保持され、前記配線器具本体の受信部に対応する部位に操作信号を透過させる透過窓部を有することを特徴とする請求項１又は２の何れか１項に記載の配線器具。
【請求項８】
前記配線器具本体は、当該配線器具本体の前面に設けられた枠状のプレートをさらに有し、前記プレートの枠内の一部には前記受信部が填め込まれ、前記リモコンは、前記プレートの枠内の残部に着脱自在に収納されることを特徴とする請求項１又は２の何れか１項に記載の配線器具。
【請求項９】
前記リモコンは、磁石または当該磁石を磁力により牽引固定する固定部の何れか一方を有し、前記配線器具本体側は、前記磁石または前記固定部の他方を有することを特徴とする請求項１〜８の何れか１項に記載の配線器具。
【請求項１０】
前記配線器具本体および前記リモコンは、通信チャンネルを切替えるためのチャンネル切替手段がそれぞれ設けられたことを特徴とする請求項１〜９の何れか１項に記載の配線器具。
【発明の詳細な説明】
【技術分野】
【０００１】
本発明は、壁に埋設されて使用される配線器具本体と、この前面に装着されるリモコン（リモコン送信器）とにより構成される配線器具に関するものである。
【背景技術】
【０００２】
従来、壁に埋設された配線器具に、商用電源とともに接続される照明器具や換気扇などの負荷は、その配線器具の操作スイッチを操作することにより、動作（照明器具の場合は例えば点灯ないし消灯）するようになっている。
【０００３】
また、照明器具などの負荷には、遠隔操作用として赤外線式のリモコンおよびこの保管用としての壁掛け式ホルダーが同梱されるものも存在している（例えば特許文献１参照）。壁掛け式ホルダー（特許文献１では取付台）は、ねじや接着などで壁に固定されて使用され、リモコンを保持するようになっている。
【特許文献１】特開平５−３５８７号公報
【発明の開示】
【発明が解決しようとする課題】
【０００４】
しかしながら、上記従来の技術では、リモコンを保管するための壁掛け式ホルダーが別途必要になるとともに、壁に固定された壁掛け式ホルダーが配線器具よりも前方に突出することから、リモコンと配線器具等とのデザインを統一するには限界があった。また、壁掛け式ホルダーをねじや接着などで壁に固定するのも手間であった。
【０００５】
本発明は、上記事情に鑑みてなされたものであり、リモコン保管用としての壁掛け式ホルダーを別途設ける必要がなく、リモコンと配線器具本体等とのデザインを統一することができる配線器具を提供することを目的とする。
【課題を解決するための手段】
【０００６】
請求項１の発明は、操作信号受信用の受信部を有し、壁に埋設された状態で受信部で受信された操作信号に応じて動作する配線器具本体と、操作部および当該操作部に対する操作に応じて操作信号をワイヤレスで送信する送信部を有し、配線器具本体の前面側に着脱自在に保持されるリモコンとを備え、受信部は、リモコンを配線器具本体の前面側に保持させた状態において、当該リモコンとは別のリモコンから送信される操作信号を受信可能に設けられたことを特徴とする。
【０００７】
請求項２の発明は、配線器具本体は、リモコンの操作部と対応する操作スイッチをさらに有し、当該操作スイッチに対する操作または受信部で受信された操作信号に応じて動作することを特徴とする。
【０００８】
請求項３の発明は、配線器具本体は、当該配線器具本体の前面に取り付けられて操作スイッチを押操作するハンドルをさらに有し、リモコンは、ハンドルの前面に着脱自在に保持され、ハンドルは、リモコンが取り付けられる部位以外の部位であって配線器具本体の受信部に対応する部位に操作信号を透過させる透過窓部を有することを特徴とする。
【０００９】
請求項４の発明は、配線器具本体は、当該配線器具本体の前面に設けられた枠状のプレートをさらに有し、リモコンは、プレートの枠内に可動式のハンドルとして着脱自在に保持され、当該リモコンが押操作に応じて配線器具本体の前面側に動いたときに当該配線器具本体の操作スイッチを押下する突起部を有するとともに、配線器具本体の受信部に対応する部位に操作信号を透過させる透過窓部を有することを特徴とする。
【００１０】
請求項５の発明は、配線器具本体は、当該配線器具本体の前面に設けられた枠状のプレートおよび当該配線器具本体の操作スイッチを押操作するためのものであってプレートの枠内に設けられるハンドルをさらに有し、リモコンは、ハンドルの前面に着脱自在に保持され、リモコンおよびハンドルは、配線器具本体の受信部に対応する部位に操作信号を透過させる透過窓部をそれぞれ有することを特徴とする。
【００１１】
請求項６の発明は、配線器具本体は、当該配線器具本体の前面に設けられた枠状のプレートをさらに有し、プレートの枠内の一部には操作スイッチが填め込まれ、当該操作スイッチは、前面に受信部を有し、リモコンは、プレートの枠内の残部に着脱自在に収納されることを特徴とする。
【００１２】
請求項７の発明は、配線器具本体は、当該配線器具本体の前面に設けられた枠状のプレートをさらに有し、リモコンは、プレートの枠内に着脱自在に保持され、配線器具本体の受信部に対応する部位に操作信号を透過させる透過窓部を有することを特徴とする。
【００１３】
請求項８の発明は、配線器具本体は、当該配線器具本体の前面に設けられた枠状のプレートをさらに有し、プレートの枠内の一部には受信部が填め込まれ、リモコンは、プレートの枠内の残部に着脱自在に収納されることを特徴とする。
【００１４】
請求項９の発明は、リモコンは、磁石または当該磁石を磁力により牽引固定する固定部の何れか一方を有し、配線器具本体側は、磁石または固定部の他方を有することを特徴とする。
【００１５】
請求項１０の発明は、配線器具本体およびリモコンは、通信チャンネルを切替えるためのチャンネル切替手段が設けられたことを特徴とする。
【発明の効果】
【００１６】
請求項１の発明によれば、リモコンを取り外した状態において取り外したリモコンや別のリモコンを用いて操作できるのはもちろんのこと、リモコンを配線器具本体に取り付けた状態でも別のリモコンを用いて操作できる配線器具を提供することができるという効果がある。
【００１７】
請求項２の発明によれば、リモコンの取外し時、配線器具本体の操作スイッチで操作が可能になるとともに、リモコンの操作部で遠隔操作が可能になるという効果がある。
【００１８】
請求項３の発明によれば、ハンドルの前面にリモコンが着脱自在に取り付けられた場合でも、配線器具本体に設けた受信部がハンドルに設けた透過窓部を介して外部を臨むので、別のリモコンでの操作が可能になるという効果がある。
【００１９】
請求項４の発明によれば、プレートの枠内にリモコンを収納している場合、配線器具本体の操作スイッチに代えて、リモコンを操作のし易い大きな操作用のハンドルとして使用することができるという効果がある。また、リモコンが機械的に操作されるので、リモコンの電池の消費電力を節約することができるという効果がある。
【００２０】
請求項５の発明によれば、リモコンの取外し時、配線器具本体の操作のし易いハンドルで操作が可能になるとともに、リモコンの操作部で遠隔操作が可能になるという効果がある。また、リモコンの取付け時、リモコンが機械的に操作されることになるので、リモコンの電池の消費電力を節約することができるという効果がある。
【００２１】
請求項６の発明によれば、配線器具本体の前面に設けられたプレートの枠内の残部にリモコンが着脱自在に収納されている場合でも、操作スイッチの前面に設けられた受信部がプレートの枠内の一部から外部を臨むので、別のリモコンでの操作が可能になるという効果がある。
【００２２】
請求項７の発明によれば、配線器具本体の前面に設けられたプレートの枠内にリモコンが着脱自在に収納されている場合でも、配線器具本体の受信部がリモコンの透過窓部を介して外部を臨むので、別のリモコンで操作が可能になるという効果がある。
【００２３】
請求項８の発明によれば、配線器具本体の前面に設けられたプレートの枠内の残部にリモコンが着脱自在に収納されている場合でも、配線器具本体の受信部がプレートの枠内の一部から外部を臨むので、別のリモコンでの操作が可能になるという効果がある。
【００２４】
請求項９の発明によれば、リモコンの着脱が容易となるという効果がある。
【００２５】
請求項１０の発明によれば、配線器具本体およびリモコンに通信チャンネルを切替えるためのチャンネル切替手段を設けているので、配線器具本体およびリモコンの双方でチャンネルを切替えるようにすれば、赤外線を媒体とするワイヤレス信号を用いた他の機器との混信を避けて負荷の誤動作を防止することができるという効果がある。
【発明を実施するための最良の形態】
【００２６】
（第１実施形態）
図１は本発明による第１実施形態の配線器具の分解斜視図、図２は同配線器具の斜視図、図３は同配線器具を、配線器具本体側からリモコンを離して見た斜視図、図４は同配線器具の配線器具本体を取付枠に取り付けて見た斜視図、図５は同配線器具の回路図、図６は同配線器具のハンドルの背面図である。
【００２７】
第１実施形態の配線器具は、図１〜図４に示すように、配線器具本体１と、取付枠２と、プレート用継枠および化粧プレートからなる枠状のプレート（後述の図１５参照）と、ハンドル４と、リモコン５とを備え、配線器具本体１が、施工面に埋込配設されるハウジング１Ａと、電源から負荷への給電路を開閉するスイッチ要素（図５（ａ）のＱ１６３）と、ハウジング１Ａの前面に取り付けられて押操作されるハンドル４と、このハンドル４の押操作によって操作される操作スイッチ１３と、ワイヤレス信号を受信する受信部１２と、操作スイッチ１３が操作されたとき若しくは受信部１２がワイヤレス信号を受信したときに上記スイッチ要素を制御して電源から負荷への給電路を開閉させる制御回路部（制御部）１８０とを備え、リモコン５をハンドル４の前面に着脱自在に取り付ける取付手段がハンドル４並びにリモコン５に設けられたことを特徴とする。
【００２８】
上記配線器具本体１、取付枠２、プレート、ハンドル４およびリモコン５のうち、取付枠２およびプレートは従来と同様であるので、以下では配線器具本体１、ハンドル４およびリモコン５について詳述する。
【００２９】
配線器具本体１は、壁に埋設されて使用されるものであり、ボディ１０およびカバー１１により構成されるハウジング１Ａを備えているとともに、図４に示すように、操作信号受信用の受信部１２と、例えば押し釦式の操作スイッチ１３と、表示灯１４と、スライド式のチャンネル切替スイッチＳＷ１２２（図３（ａ）参照）の操作部１５とを上記ハウジング１Ａの前面に備え、図５（ａ）に示す回路構成の受信器１００をハウジング内に収納している。
【００３０】
受信器１００は、受信回路部１１０と、操作回路部１２０と、表示回路部１３０と、端子部１４０と、フィルタ回路部１５０と、負荷制御回路部１６０と、電源回路部１７０と、制御回路部１８０とを備えている。
【００３１】
受信回路部１１０は、受信部１２を構成するフォトダイオードなどのリモコン受光素子１１１などによりなり、リモコン５からの操作信号などの信号を赤外線で受信するものである。
【００３２】
操作回路部１２０は、操作スイッチ１３の押操作に応じてオンオフするスイッチＳＷ１２１などにより構成され、端子部１４０に接続される負荷駆動用の操作入力を得るためのものである。なお、図中のＳＷ１２２はチャンネル切替スイッチである。
【００３３】
表示回路部１３０は、表示灯１４を構成するＬＥＤ１３１などによりなり、制御回路部１８０からの制御信号に従って点灯ないし消灯するようになっている。
【００３４】
端子部１４０は、例えば速結端子などの端子１４１〜１４４により構成され、負荷Ｌと商用電源ＡＣとが接続されるものである。図５（ａ）の例では、端子１４１，１４２間に商用電源ＡＣが接続され、端子１４３，１４４間に照明器具などの負荷Ｌが接続されている。
【００３５】
フィルタ回路部１５０は、サージアブソーバ１５１およびコンデンサ１５２などにより構成され、ノイズフィルタとして機能するものである。
【００３６】
負荷制御回路部１６０は、スイッチ（図ではフォトトライアック）Ｑ１６０およびスイッチ（図ではトライアック）Ｑ１６３などにより構成され、制御回路部１８０からの制御信号に従ってスイッチＱ１６０を通してスイッチＱ１６３をオフ／オンすることにより、それぞれ端子部１４０の端子１４２，１４４間を開／閉するものである。
【００３７】
電源回路部１７０は、端子部１４０の端子１４１，１４２間に接続される（全波）整流器ＤＢ１７１と、この出力に接続され、ツェナーダイオードＤ１７１，Ｄ１７２、スイッチ素子（図ではトランジスタ）Ｑ１７１およびコンデンサＣ１７１，Ｃ１７２などにより構成されるレギュレータとにより構成され、受信器１００の各部に電力を供給するためのものである。
【００３８】
制御回路部１８０は、マイコン（マイクロコンピュータ）１８１などにより構成され、電源回路部１７０から直流電力の供給を受けて動作し、受信器１００全般の制御などの処理を実行するものである。例えば、スイッチＳＷ１２１の（瞬時）オンオフに応じて、スイッチＱ１６０を通じて、スイッチＱ１６３をオフまたはオンにすることにより、それぞれ端子１４２，１４４間を開または閉にする制御が実行される。また、受信回路部１１０で、スイッチＳＷ１２１のオンオフに対応する操作信号が受信されれば、スイッチＱ１６０を通じて、スイッチＱ１６３をオフまたはオンにすることにより、それぞれ端子１４２，１４４間を開または閉にする制御が実行される。さらに、従来のほたる発光制御と同様に、端子１４２，１４４間が開の場合にＬＥＤ１３１を点灯し、端子１４２，１４４間が閉の場合にＬＥＤ１３１を消灯する制御が実行される。
【００３９】
ボディ１０は、図１，図４に示すように、樹脂により一の方向（図１では上下方向）に長い矩形状の開口を前面に有する箱状に形成されている。ボディ１０の内部は隔壁によって上下２つの収納室に分割されており、図１における下側の収納室には交流電源ＡＣおよび負荷Ｌにそれぞれ接続する端子１４１〜１４４が収納される。これらの端子１４１〜１４４はプリント基板１６に実装される端子板と、鎖錠ばねおよび解除釦（何れも図示せず）とを有する従来周知の速結端子からなり、ボディ１０の底面に貫設された電線挿通孔（図示せず）を通して挿入される電線が端子板と鎖錠ばねの間に圧接保持されることで電線と電気的および機械的に接続される。また、ボディ１０の上側面部１０ｂおよび下側面部１０ｃの各外面の開口側には、一対の取付用の凸部１０ｆ，１０ｆが離隔して突設されている。
【００４０】
なお、下側の収納室の中央にはボス部１０ｇが突設されており、プリント基板１６に貫設されたねじ挿通孔にタッピングねじからなる取付ねじ（図示せず）を挿通した後にボス部１０ｇの前端面に設けられたねじ孔１０ｈに螺合することでプリント基板１６がボディ１０に取り付けられる。また、図１における上側の収納室には、プリント基板１６に実装されている回路部品が収納される。ここで、プリント基板１６に実装されているスイッチＱ１６３には金属製の放熱板（図示せず）が取り付けられている。そして、上側の収納室を囲むボディ１０の側壁には前後方向に沿った複数のスリット１０ｉが貫設されており、これら複数のスリット１０ｉを通して放熱板の放熱で温められた空気を器体の外に放出して放熱を促進している。カバー１１は、図１，図４に示すように、樹脂によりボディ１０の開口を閉塞する形状（図１では矩形状の開口を後面に有する箱状）に形成されている。
【００４１】
カバー１１の前面部１１ａにおける上部および下部の各々には、左端側を基端に右端側にかけて前方に切り起こされ右端でハンドル４を前方に押し上げるための成形ばね１１ｆが一体成形されている。また、前面部１１ａにおける中央部の左右両側には、表示灯１４用の窓部１１ｇおよび操作スイッチ１３用の窓部１１ｈがそれぞれ形成され、前面部１１ａにおけるそれら窓部１１ｇおよび窓部１１ｈの下方には、受信部１２用の窓部１１ｉおよび操作部１５用の窓部１１ｊがそれぞれ形成されている。さらに、前面部１１ａにおける中央部の左端には、一対の軸部１１ｋ，１１ｋが上下に離隔して形成されている一方、前面部１１ａにおける中央部の右端には、一対の挿入孔１１ｍ，１１ｍが上下に離隔して穿設されている。
【００４２】
カバー１１の上側面部１１ｂおよび下側面部の各後方端面における両端には、一対の取付用の突片１１ｎ，１１ｎが後方に向けて一体に延設され、各突片１１ｎには、ボディ１０の対応する凸部１０ｆと嵌合する孔１１ｐが穿設されている。一方、カバー１１の左側面部および右側面部１１ｅの各中央には、取付枠２の左側部２３および右側部２４の各中央に穿設された一対の取付孔２ｑ，２ｑにそれぞれ嵌合する一対の突起（係止爪）１１ｑ，１１ｑが上下に離隔して形成されている。
【００４３】
ここで、カバー１１には、操作スイッチ１３や切替スイッチＳＷ１２２の操作部１５、表示灯１４並びに受信部１２などが実装されるとともに、図示しないテープ電線（フレキシブル・フラット・ケーブル）により上記プリント基板１６と接続される別のプリント基板（以下「第２基板」という）が収納される。カバー１１の内底面には複数のリブが一体に突設されており、第２基板に貫設される複数の孔にそれぞれリブを挿通することでカバー１１に対する第２基板の位置決め並びに固定がされる。ここで、操作スイッチ１３や切替スイッチＳＷ１２２の操作部１５は操作に伴う外力を受けるから、それらが実装された部位の近傍を上記リブで固定することが必要となるが、本参考例においては、操作スイッチ１３と切替スイッチＳＷ１２２を近接して実装することにより、それらの間にリブ並びに孔を設けるだけでよく、２つのスイッチを離して実装する場合に比較してリブや孔の個数が削減できるという利点がある。
【００４４】
上記構成の配線器具本体１は、例えば、ボディ１０内に受信器１００を直接ないしプリント基板１６等に実装して収納（固定）し、カバー１１の開口側でボディ１０の開口を閉塞するようにして、カバー１１の各突片１１ｎの孔１１ｐにボディ１０の各凸部１０ｆを嵌合することにより、組み立てられる。
【００４５】
ハンドル４は、配線器具本体１の前面側に設けられた上記プレートの枠内に設けられ、図１，図６に示すように、ハンドル本体４０と、受光カバー４１とを含んでいる。また、ハンドル４には、平角状の本体部４２０およびこの上下端にそれぞれ立設される一対の取付部４２１，４２１によりなる透光性のほたる表示片４２と、矩形状の磁石４３と、一対のばね片が後方に延設される前面矩形状の押さえばね４４とが具備されている。
【００４６】
ハンドル本体４０は、樹脂により、上記プレートの矩形枠内に収まる矩形平板状で、長手方向に沿う一端（左端）部４００がその他端（右端）部４０１よりも狭い幅で前面側に突出した段差構造を持つ形状になっている。
【００４７】
ハンドル本体４０の一端部４００における左端側中央には、押さえばね４４の一対のばね片を前方から挿入するための挿入孔が穿設され、一端部４００の後面には、一対の軸受部４００ａ，４００ａが、上記挿入孔と連通するように上下に並設され、カバー１１の一対の軸部１１ｋ，１１ｋが填め込まれた場合にそれらを弾性保持するようになっている。また、一端部４００におけるカバー１１の表示灯１４の前方位置には、ほたる表示片４２の本体部４２０が嵌入される矩形孔の透光部４００ｂが穿設され、一端部４００の後面における透光部４００ｂの上下近傍には、一対の突起４００ｃ，４００ｃがそれぞれ形成されている。これら一対の突起４００ｃ，４００ｃは、ほたる表示片４２の一対の取付部４２１，４２１に穿設された挿入孔にそれぞれ挿通された状態で、熱溶着によりほたる表示片４２を一端部４００の後面に固定するためのものである。さらに、一端部４００におけるカバー１１の受信部１２の前方位置には、透過窓部４００ｄが穿設されている。
【００４８】
ハンドル本体４０の他端部４０１の後面における左端側中央には、外向きの爪が先端に形成された一対の突片４０１ａ，４０１ａが上下に離隔して形成されている。これら一対の突片４０１ａ，４０１ａは、カバー１１の一対の挿入孔１１ｍ，１１ｍにそれぞれ挿入され、カバー１１の一対の成形ばね１１ｆ，１１ｆによりハンドル本体４０の右端側が前方に押された状態で、当該突片４０１ａ，４０１ａの先端の爪が上記挿入孔１１ｍ，１１ｍの後面側の縁部にそれぞれ係止するようになっている。また、他端部４０１の後面における一対の突片４０１ａ，４０１ａの左隣り（図６では右隣り）には、磁石４３が粘着テープ等によって固定されている。一方、他端部４０１の前面における右端側中央には、この箇所が押操作するべき部分であることを示す突起４０１ｂが形成されている。なお、図６中の５ｃは操作スイッチ１３を押下する突起部である。
【００４９】
受光カバー４１は、赤外線に対して透光性を有する樹脂製であり、ハンドル本体４０の一端部４００における透光部４００ｂを除く前面を閉塞する縦長矩形状に形成され、その一端部４００の前面に固着される。図１の例では、ハンドル本体４０の一端部４００に複数（６つ）の孔が上下方向に離隔して設けられ、それら複数の孔にそれぞれ嵌入する複数の突部が受光カバー４１の後面側に設けられ、それらの各孔に嵌入された突部の先端を熱溶着することにより、受光カバー４１がハンドル本体４０の一端部４００の前面に固着されるようになっている。また、受光カバー４１には、一端部４００の透過窓部４００ｄの前方位置に、若干厚みの厚いレンズ部４１０が設けられ、そのレンズ部４１０の後面には、上下方向に伸びる断面半円状の溝が形成されている。さらに、受光カバー４１の右側面における上下両端には、一対の縦長の凸部４１１，４１１が形成されている。
【００５０】
上記構成のハンドル４は、例えば、ハンドル本体４０の一端部４００における左端側中央の挿入孔に前方から押さえばね４４の一対のばね片を挿入し、一端部４００の前面に受光カバー４１を固着し、一端部４００の透光部４００ｂに後方からほたる表示片４２の本体部４２０を嵌入して、ほたる表示片４２を一端部４００の後面に固定し、他端部４０１の後面の所定位置に磁石４３を固定することにより、組み立てられる。
【００５１】
図７は同配線器具のリモコンの分解斜視図であり、この図をさらに参照しながらリモコン５について詳述する。
【００５２】
リモコン５は、図１，図７に示すように、リモコンボディ５０およびポリエステルなどの合成樹脂製のメンブレンシート５１により構成される平板矩形状のハウジング５Ａを備えているとともに、釦電池収納用の電池カバー５２と、配線器具本体１の操作スイッチ１３に対応する操作部５３と、矩形状の鉄板５４と、チャンネル切替スイッチとしてのスライド式のスイッチＳＷ５２２の操作部５５とを備え、図５（ｂ）に示す回路構成の送信器５００をプリント基板５６等に実装などしてハウジング５Ａ内に収納している。
【００５３】
送信器５００は、送信回路部５１０と、操作回路部５２０と、電源回路部５３０と、制御回路部５４０とを備えている。
【００５４】
送信回路部５１０は、スイッチ（図ではトランジスタ）Ｑ５１１およびＬＥＤ５１１などにより構成され、制御回路部５４０からの制御信号に従ってスイッチＱ５１１を通してＬＥＤ５１１を駆動（点滅）することにより、操作信号などの信号を赤外線で送信するものである。
【００５５】
操作回路部５２０は、操作部５３の押操作に応じてオンオフするスイッチＳＷ５２１などにより構成され、配線器具本体１の操作スイッチ１３に対応する操作入力を得るためのものである。なお、図中のＳＷ５２２はチャンネル切替スイッチである。
【００５６】
電源回路部５３０は、電池５３１などにより構成され、送信器５００の各部に電力を供給するものである。
【００５７】
制御回路部５４０は、マイコン５４１などにより構成され、電源回路部５３０から直流電力の供給を受けて動作し、送信器５００全般の制御などの処理を実行するものである。例えば、スイッチＳＷ５２１の（瞬時）オンオフに応じて、スイッチＱ５１１を通じて、ＬＥＤ５１１を駆動することにより、操作信号を赤外線で送信する制御が実行される。
【００５８】
ここで、スイッチＳＷ５２１は、櫛形構造のメンブレンスイッチになっている。つまり、メンブレンシート５１の一部が、この一部の裏面側に銀ペーストやカーボンペーストからなる導電インクが塗布された導電性塗料と、この導電性塗料と対向するプリント基板５６の面に形成されカーボン印刷（カーボンペーストのスクリーン印刷）されて互いに離隔状態で歯合する一対の櫛形配線とともに、入／切の操作部５３を構成する。また、メンブレンシート５１の表面における導電性塗料と背向する位置には、ドーム型に盛り上げられたエンボス部が操作部５３として設けられており、操作部５３を押したときにクリック感が出るようになっている。なお、メンブレンシート５１は、プリント基板５６の背面に貼着される。
【００５９】
また、リモコン５から送信されるワイヤレス信号には、チャンネル切替スイッチＳＷ５２２によって設定されるチャンネルの情報が含まれ、制御回路部１８０では、リモコン５のチャンネル切替スイッチＳＷ５２２によって設定されたチャンネルと、チャンネル切替スイッチＳＷ１２２で設定された自己のチャンネルとが一致する場合のみ、リモコン５からのワイヤレス信号を受け付けるようになっている。このように配線器具本体１とリモコン５の双方でチャンネルを切り換えるようにすれば、赤外線を媒体とするワイヤレス信号を用いた他の機器との混信を避けて負荷の誤動作が防止できる。
【００６０】
リモコンボディ５０は、樹脂により、ハンドル本体４０の他端部４０１と同程度の開口を後面に有する箱状に形成され、上側面部５０ｂ、下側面部および右側面部５０ｅの各一部が上記プレートの枠内よりも前方に露出するように、ハンドル本体４０の他端部４０１前面に装着されるようになっている。
【００６１】
リモコンボディ５０の前面部５０ａの前面における右端側中央には、当該リモコンボディ５０がハンドル本体４０の他端部４０１に装着されている場合に、その箇所が押操作するべき部分であることを示す突起５０ｆが形成されている。一方、リモコンボディ５０の前面部５０ａの後面には、複数のリブが形成され、これら複数のリブのうち、後面下部の左右両側に設けられ上部が内向きに湾曲する一対のリブ５０ｇ，５０ｇの一方（図７では右方）における下部内側に係止溝５０ｈが形成されている。また、前面部５０ａの後面における右端側中央に鉄板５４が固定される。
【００６２】
リモコンボディ５０の上側面部５０ｂにおける中央には、ＬＥＤ５１１に対する窓孔５０ｉが形成され、その窓孔５０ｉの周縁面が内部ほど径の小さいテーパ面になっている。一方、リモコンボディ５０の下側面部は、切り欠かれて電池カバー５２の挿入口５０ｊを形成している。
【００６３】
リモコンボディ５０の左側面部５０ｄの上下端には、それぞれ受光カバー４１の一対の凸部４１１，４１１と嵌合する一対の凹部５０ｋ，５０ｋが形成されている。また、左側面部５０ｄにおける上端側には、挿入孔５０ｍが形成されている。挿入孔５０ｍには、操作部５５の操作部分５５０が左側面部５０ｄの面から外部にはみ出さないように挿入されるようになっており、左側面部５０ｄにおける操作部５５の操作方向の両側に、それぞれ一対の段落ち凹所が形成されている。
【００６４】
リモコンボディ５０の右側面部５０ｅには、上下方向に長い取外し用リブ５０ｐが形成されている。また、右側面部５０ｅの後面側中央には、ハンドル本体４０の突起４０１ｂと嵌合する凹部５０ｑが形成されている。さらに、右側面部５０ｅの内面の下端に、係止溝５０ｒが形成されている。
【００６５】
電池カバー５２は、リモコンボディ５０のほぼ下側面部を形成する角柱状の基部５２０と、この基部５２０の上側面に延設され釦電池の外周縁を囲繞するΩ状のリブ５２１ａを一の面に有する釦電池収納部５２１と、基部５２０の上側面の左端に立設され先端部がリモコンボディ５０の係止溝５０ｈに係止する係止突片５２２と、釦電池収納部５２１のリブ５２１ａにおける右端側から基部５２０の右端面側に延設されリモコンボディ５０の係止溝５０ｒに弾性係止する弾性係止片５２３とを有する形状に形成されている。
【００６６】
上記構成のリモコン５は、例えば、リモコンボディ５０の挿入孔５０ｍに内側から操作部５５の操作部分５５０を挿入し、リモコンボディ５０の後面側の所定位置に鉄板５４を固定し、リモコンボディ５０の後面側に、電池５３１を除く送信器５００をプリント基板５６に実装して収納（固定）し、リモコンボディ５０の開口側をメンブレンシート５１で閉塞し、電池５３１を釦電池収納部５２１に収納した電池カバー５２を挿入口５０ｊからリモコンボディ５０内に装着することにより、組み立てられる。
【００６７】
次に、上記構成の配線器具の施工手順例について説明する。先ず、配線器具本体１、取付枠２、プレート、ハンドル４およびリモコン５を用意する。そして、配線器具本体１のボディ１０における負荷用の一対の電線挿入孔および電源用の一対の電線挿入孔に、それぞれ負荷からの一対の電線の導体線および商用電源からの一対の電線の導体線を挿入するとともに、配線器具本体１のカバー１１の各突起１１ｑを取付枠２の左側部２３および右側部２４の各中央に穿設された各取付孔２ｑに嵌合して、取付枠２に配線器具本体１を取り付ける。この後、従来と同様に２本の取付ねじを用いて、配線器具本体１が取り付けられた取付枠２を、配線器具本体１側を壁に埋設するようにして壁面側にねじ止めする。
【００６８】
この後、配線器具本体１のカバー１１における一対の軸部１１ｋ，１１ｋを、ハンドル４のハンドル本体４０における一対の軸受部４００ａ，４００ａにそれぞれ填め込んで回動自在に軸支するとともに、ハンドル本体４０における一対の突片４０１ａ，４０１ａを、カバー１１における一対の挿入孔１１ｍ，１１ｍに挿入して、配線器具本体１のカバー１１にハンドル４を取り付ける。
【００６９】
この後、プレートのプレート用継枠を、従来と同様に２本のねじを用いて取付枠２にねじ止めし、プレート用継枠の前面に化粧プレートを固定する。
【００７０】
この後、リモコン５のリモコンボディ５０における一対の凹部５０ｋ，５０ｋに、ハンドル４の受光カバー４１における一対の凸部４１１，４１１を填め込みながら、リモコン５をハンドル４のハンドル本体４０における他端部４０１の前面に装着する。このとき、リモコン５は、ハンドル本体４０の後面側に設けられた磁石４３がリモコン５内の鉄板５４を牽引することにより、他端部４０１の前面に張り付く。
【００７１】
次に、第１実施形態の配線器具の動作について説明する。リモコン５が取り外された配線器具本体１のハンドル４を押操作すると、スイッチＳＷ１２１がオンオフして、スイッチＱ１６０を通してスイッチＱ１６３がオフまたはオンになることにより、端子１４２，１４４間が開または閉になる。このとき、端子１４２，１４４間が閉になったとすれば、端子１４２−商用電源ＡＣ−端子１４１−端子１４３−負荷Ｌ−端子１４４の経路が閉ループになるので、商用電源ＡＣから負荷Ｌに交流電力が供給されることになる。一方、端子１４２，１４４間が開になったとすれば、上記経路が開放状態になるから、商用電源ＡＣから負荷Ｌに交流電力が供給されなくなる。これにより、負荷Ｌを駆動することが可能となり、負荷Ｌが照明器具である場合には、その照明器具を例えば点灯ないし消灯することができる。
【００７２】
これに対し、配線器具本体１側から取り外されたリモコン５の操作部５３を押操作すると、スイッチＳＷ５２１がオンオフして、スイッチＱ５１１を通してＬＥＤ５１１が駆動することにより、操作信号が赤外線で送信される。そして、その操作信号が配線器具本体１の受信部１２を通して受信回路部１１０のリモコン受光素子１１１で受信されると、スイッチＱ１６０を通してスイッチＱ１６３がオフまたはオンになることにより、端子１４２，１４４間が開または閉になる。これにより、配線器具本体１の操作スイッチ１３に対する押操作と同様に、負荷を駆動することが可能となる。
【００７３】
また、上記各動作において、端子１４２，１４４間が開の場合には、ＬＥＤ１３１が点灯し、端子１４２，１４４間が閉の場合には、ＬＥＤ１３１が消灯する。
【００７４】
以上、第１実施形態によれば、リモコン５をハンドル４の前面に着脱自在に取り付けるための磁石４３および鉄板５４が、それぞれハンドル４およびリモコン５に設けられるので、ハンドル４を押操作して負荷を入切できるとともに、ハンドル４の前面に取り付けられたリモコン５をハンドル４から取り外し、ワイヤレス信号を送信して配線器具本体１で電源から負荷への給電をオン・オフすることにより、負荷を入切することができ、リモコン５の置き場所に不自由することがなく、リモコン５の紛失を防ぐことができる。また、配線器具本体１が施工面に埋込配設されるから、埋込型の他の配線器具とのデザイン上の統一もとりやすくなる。
【００７５】
また、ハンドル４が取り付けられるハウジング１Ａの前面に受信部１２が光学的に露出されるとともに、リモコン５から送信されたワイヤレス信号を透過させて受信部１２に受信させる透過窓部４００ｄがハンドル４に設けられるので、ハンドル４以外の部位に透過窓部を設ける場合に比較して配線器具本体１の小型化が図れる。
【００７６】
さらに、ハンドル４は一端部がハウジング１Ａに回動自在に支持されて他端部が押操作されるピアノハンドルからなり、ハンドル４のハウジング１Ａに支持される一端部側に透過窓部４００ｄが設けられるとともに、ハンドル４の押操作される他端部側に磁石４３が設けられるので、ハンドル４を押操作する際に人の指などが透過窓部４００ｄの側に触れ難くなり、透過窓部４００ｄの側が汚れてワイヤレス信号の到達距離が短くなるのを防ぐことができる。
【００７７】
（第２実施形態）
図８は本発明による第２実施形態の配線器具を、リモコンを離して見た斜視図（ａ）およびリモコンの背面図（ｂ）、図９は同配線器具の配線器具本体の分解斜視図、図１０は同配線器具本体のカバーの正面図（ａ）、上側面図（ｂ）および右側面図（ｃ）である。
【００７８】
第２実施形態の配線器具は、図８，図９に示すように、配線器具本体１、化粧プレート３２、ハンドル４およびリモコン５などを備え、第１実施形態との相違点として、ＧＢ  １２４５で規定される埋込ボックスおよび８６プレートに取付可能な寸法に設定され、リモコン５が、タイマ機能（手段）を有し、このタイマ機能を利用して、操作時点などの所定の計時開始時点からその操作に対応する所定時間の経過後に、電源から負荷への給電路を閉にするためのワイヤレス信号を送信し、配線器具本体１がそのワイヤレス信号に従って動作することを特徴とする。
【００７９】
上記配線器具本体１、取付枠２、プレート、ハンドル４およびリモコン５のうち、取付枠２およびプレートは従来と同様であるので、以下では配線器具本体１、ハンドル４およびリモコン５について詳述する。
【００８０】
配線器具本体１は、ボディ１０およびカバー１１により構成されるハウジング１Ａを備えているとともに、操作信号受信用の受信部１２と、例えば押し釦式の操作スイッチ１３とを上記ハウジングの前面に備え、第１実施形態と同様に、プリント基板１６，１７をハウジング１Ａ内に収納している。プリント基板１６，１７のうち、プリント基板１７が第１実施形態における第２基板に対応し、このプリント基板１７に受信部１２や操作スイッチ１３などが実装される。ただし、第２実施形態では、表示回路部１３０およびチャンネル切替スイッチＳＷ１２２は具備されない。
【００８１】
ボディ１０は、樹脂により開口を前面に有する箱状に形成されている。ボディ１０の底部における下方左側には、鎖状ばねおよび解除レバーを含む端子板・レバー１８１を一対収納するための収納室１０ｄが、ボディ１０の内壁に連続一体となるＬ字状の隔壁により形成されている。ボディ１０の底部１０ａにおける下方右側には、一対の鎖状ばねおよび解除レバーを含む端子板・レバー１８２を収納するための収納室１０ｅが、ボディ１０の内壁に連続一体となるＬ字状の隔壁により形成されている。そして、各収納室内には、一対の電線挿入孔が穿設されている。また、ボディ１０の上側面部１０ｂおよび下側面部１０ｃの各外面の開口側には、取付用の凸部１０ｆ，１０ｆ，１０ｆ１０ｆが突設されている。
【００８２】
なお、図９中の支持板１８３，１８３は、端子板・レバー１８１，１８１をプリント基板１６に電気的に接続するためのものであり、支持板１８４は端子板・レバー１８２をプリント基板１６に電気的に接続するためのものである。また、１８５はスイッチＱ１６３用の放熱板である。
【００８３】
カバー１１は、図９，図１０に示すように、樹脂によりボディ１０の開口を閉塞する形状（図では平板状）に形成されている。カバー１１の中央部の上下両側には、受信部１２用の窓部１１ｉおよび操作スイッチ１３用の窓部１１ｈがそれぞれ形成されている。また、カバー１１の背面には、ボディ１０の対応する凸部１０ｆ，１０と嵌合する孔１１ｐ，１１ｐが穿設された取付用の突片１１ｎが４つ突設されている。さらに、カバー１１の前面上部の左右両側には、一対の軸受部１１ｒ，１１ｒが前方に突設されており、各軸受部１１ｒの左右側面には、軸受孔１１ｓが穿設されている。なお、カバー１１の四隅の各々には、化粧プレート３２を取り付けるための取付孔１１ｔが穿設されている。
【００８４】
上記構成の配線器具本体１は、例えば、ボディ１０内に受信器１００を直接ないしプリント基板１６，１７に実装して収納（固定）し、カバー１１の背面側でボディ１０の開口を閉塞するようにして、カバー１１の各突片１１ｎの孔１１ｐ，１１ｐにボディ１０の各凸部１０ｆ，１０ｆを嵌合することにより、組み立てられる。
【００８５】
ハンドル４は、図８，図９に示すように、ハンドル本体４０と、受光カバー４１とを含み、配線器具本体１の前面側に設けられる。
【００８６】
ハンドル本体４０は、樹脂により、化粧プレート３２の矩形枠内に収まる矩形平板状に形成され、上端部４０２が、その他端側の下部４０３よりも狭い幅で前面側に突出した段差構造を持ち、上端部４０２の下方近傍が前方に若干屈曲することにより、下部４０３の背面がカバー１１の前面から若干離隔し、下部４０３の前面が下側ほどより前方に傾く傾斜面となる構造となっている。なお、下部４０３の背面上部中央には、横長矩形状の磁石（図示せず）が固着される。
【００８７】
ハンドル本体４０の上端部４０２における左右両側には、カバー１１の一対の軸受部１１ｒ，１１ｒを挿通するための一対の挿通孔４０２ａ，４０２ａがそれぞれ穿設され、それら一対の挿通孔４０２ａ，４０２ａ側には、上記一対の軸受部１１ｒ，１１ｒの軸受孔１１ｓ，１１ｓに填り込む一対の軸部（図示せず）がそれぞれ形成されている。また、上端部４０２におけるカバー１１の窓部１１ｉの前方位置には、矩形孔の透過窓部４０２ｂが穿設されている。
【００８８】
ハンドル本体４０の下部４０３における下方中央には、この箇所が押操作するべき部分であることを示す突起４０３ｂが複数形成されている。また、下部４０３の下方の各隅には、ハンドル本体４０の前面に装着されたリモコン５の上下左右動を、上端部４０２とともに規制するＬ字状の仮止め部４０３ｃが突設されている。さらに、下部４０３における背面には、カバー１１の窓部１１ｈを介して操作スイッチ１３をオン／オフするための突起部（図示せず）が形成されている。
【００８９】
受光カバー４１は、赤外線に対して透光性を有する樹脂製であり、ハンドル本体４０の上端部４０２の前面を閉塞する横長矩形状に形成され、その上端部４０２の前面に固着される。
【００９０】
上記構成のハンドル４は、例えば、ハンドル本体４０の上端部４０２における一対の挿通孔４０２ａ，４０２ａに、カバー１１の一対の軸受部１１ｒ，１１ｒを挿通しながら、一対の軸受部１１ｒ，１１ｒの軸受孔１１ｓ，１１ｓに、一対の挿通孔４０２ａ，４０２ａ側の一対の軸部を填め込むことにより、組み立てられる。
【００９１】
図１１は同配線器具のリモコンの分解斜視図、図１２は同リモコンのリモコンボディの正面図（ａ）、背面図（ｂ）、上側面図（ｃ）、右側面図（ｄ）および（ｂ）におけるＡ−Ａ断面図（ｅ）、図１３は同リモコンのスイッチ構造の説明図である。
【００９２】
リモコン５は、図８，図１１，図１２に示すように、リモコンボディ５０およびポリエステルなどの合成樹脂製のメンブレンシート５１により構成される平板矩形状のハウジング５Ａを備えているとともに、釦電池収納用の電池カバー５２と、配線器具本体１の操作スイッチ１３に対応する操作部５３と、第２実施形態の特徴となる操作部５３１〜５３５と、矩形状の鉄板５４とを備え、第１実施形態と同様に、送信器５００をプリント基板５６等に実装などしてハウジング５Ａ内に収納している。なお、電池カバー５２は第１実施形態と同様のものである。また、第２実施形態では、チャンネル切替スイッチＳＷ５２２は具備されない。
【００９３】
リモコンボディ５０は、樹脂により、ハンドル本体４０の下部４０３と同程度の開口を後面に有する箱状に形成され、ハンドル本体４０の下部４０３前面に装着されるようになっている。
【００９４】
リモコンボディ５０の前面部５０ａの前面における下端側中央には、当該リモコンボディ５０がハンドル本体４０の下部４０３に装着されている場合に、その箇所が押操作するべき部分であることを示す突起５０ｆが左右方向に複数形成されている。一方、前面部５０ａの後面には、複数のリブが形成されている。第２実施携帯では、第１実施形態の湾曲する一対のリブ５０ｇ，５０ｇは、上部左方に設けられており、一方（図１２（ｂ）では左方）のリブ５０ｇにおける上部内側に係止溝５０ｈが形成されている。また、係止溝５０ｒは、左側面部５０ｄの内面の上端に形成されている。さらに、前面部５０ａの後面における上端側中央には、上記磁石に対応する横長矩形状の鉄板５４が固定される。
【００９５】
リモコンボディ５０の上側面部５０ｂの左端側は、切り欠かれて電池カバー５２の挿入口５０ｊを形成している。また、リモコンボディ５０の右側面部５０ｅにおける中央には、ＬＥＤ５１１に対する窓孔５０ｉが形成され、その窓孔５０ｉの周縁面が内部ほど径の小さいテーパ面になっている。さらに、リモコンボディ５０の左側面部５０ｄおよび右側面部５０ｅの各前面側には、上下方向に長い取外し用リブ５０ｐが形成されている。
【００９６】
ここで、操作部５３，５３１〜５３５の各々は、図１３（ａ），（ｂ）に示すように、第１実施形態と同様に、メンブレンシート５１の裏面側に銀ペーストやカーボンペーストからなる導電インクが塗布（カーボン印刷）された導電性塗料５１ａと、この導電性塗料５１ａと対向するプリント基板５６の面に形成されカーボン印刷（カーボンペーストのスクリーン印刷）されて互いに離隔状態で歯合する一対の櫛形配線５６ａとにより構成される。このように構成される各操作部を押すと、メンブレンシート５１とプリント基板５６のカーボン印刷部が接して電流が流れる（図１３（ｃ）参照）。なお、図１１において、５７は＋用の電池ばねであり、５８は−用の電池ばねである。
【００９７】
そして、第２実施形態では、送信器５００にタイマ機能を設け、制御回路部５４０が、操作部５３，５３１〜５３５に対する操作に応じて、その操作にあらかじめ対応付けられた所定処理を実行するように構成される。例えば、操作部５３に対する押操作に応じて、第１実施形態と同様に、スイッチＱ１６３をオフからオンまたはオンからオフに切り替えるためのコード（以下「オン／オフ切替コード」という）を含む信号を、送信回路部５１０を介して送信する処理が実行される。また、操作部５３１〜５３４のいずれかに対する押操作に応じて、スイッチＱ１６３のオン／オフ状態に関係なく、上記タイマ機能による操作時点などの所定の計時開始時点からの所定時間の経過後に、スイッチＱ１６３をオフにするためのコード（以下「オフコード」という）を含む信号を、送信回路部５１０を介して送信する処理が実行される。操作部５３１，５３２，５３３，５３４に対する押操作には、それぞれ１分，１０分，３０分，６０分の時間が対応付けられ、これらの各々に対して同一のコードが割り当てられる。さらに、操作部５３５に対する押操作に応じて、スイッチＱ１６３のオン／オフ状態に関係なく、スイッチＱ１６３を強制的にオンにするためのコード（以下「オンコード」という）を含む信号を、送信回路部５１０を介して送信する処理が実行される。
【００９８】
一方、配線器具本体１における受信器１００の制御回路部１８０は、リモコン５の送信器５００からのワイヤレス信号に含まれるコードに従って、そのコードにあらかじめ割り当てられた制御などの処理を実行する。例えば、オン／オフ切替コードを受信すれば、スイッチＱ１６３をオフからオンまたはオンからオフに切り替える処理が実行される。また、オフコードを受信すれば、スイッチＱ１６３のオン／オフ状態に関係なく、スイッチＱ１６３をオフにする処理が実行される。さらに、オンコードを受信すれば、スイッチＱ１６３のオン／オフ状態に関係なく、スイッチＱ１６３を強制的にオンにする処理が実行される。
【００９９】
上記構成のリモコン５は、例えば、リモコンボディ５０の後面側の所定位置に鉄板５４を固定し、リモコンボディ５０の後面側に、電池５３１を除く送信器５００をプリント基板５６に実装して収納（固定）し、リモコンボディ５０の開口側をメンブレンシート５１で閉塞し、電池５３１を釦電池収納部５２１に収納した電池カバー５２を挿入口５０ｊからリモコンボディ５０内に装着することにより、組み立てられる。
【０１００】
次に、第２実施形態の配線器具の特徴となる動作について説明する。例えば、リモコン５の操作部５３を押すと、オン／オフ切替コードを含む信号が送信される。配線器具本体１において、その信号が受信されると、スイッチＱ１６３がオフであればオンに、またはオンであればオフに切り替えられる。
【０１０１】
リモコン５の操作部５３１〜５３４のいずれかを押すと、所定時間の経過後に、オフコードを含む信号が送信される。配線器具本体１において、その信号が受信されると、スイッチＱ１６３がオンであればオフに切り替えられ、スイッチＱ１６３がオフであればそのオフのままにされる。
【０１０２】
リモコン５の操作部５３５を押すと、オンコードを含む信号が送信される。配線器具本体１において、その信号が受信されると、スイッチＱ１６３がオフであればオンに切り替えられ、スイッチＱ１６３がオンであればそのオンのままにされる。
【０１０３】
以上、第２実施形態によれば、第１実施形態の効果に加えて、例えば就寝時の負荷の消し忘れを防止したり、就寝頃に負荷を自動的にオフにすることが可能となる。また、配線器具本体１がＧＢ  １２４５で規定される埋込ボックスおよび８６プレートに取付可能な寸法に設定されるので、他のスイッチとのデザインの統一が可能となる。
【０１０４】
なお、第２実施形態では、表示回路部１３０が具備されていないが、第１実施形態と同様に、表示回路部１３０を具備する構成でもよい。
【０１０５】
また、チャンネル切替スイッチＳＷ１２２，ＳＷ５２２が配線器具本体１およびリモコン５に具備されていないが、第１実施形態と同様に、チャンネル切替スイッチＳＷ１２２，ＳＷ５２２を配線器具本体１およびリモコン５にそれぞれ具備する構成でもよい。
【０１０６】
また、第１実施形態の特徴となる操作部５３，５３１〜５３５に対する押操作による動作を実現するための技術は、図１４に示すように、第１実施形態と同様のＪＩＳ  Ｃ  ８３０４の屋内用小型スイッチ類に分類されるワイドハンドル形単用スイッチに準じる寸法に設定された配線器具にも適用可能であることは言うまでもない。
【０１０７】
さらに、第２実施形態では、オン／オフ切替コード、オフコードおよびオンコードを用いる構成になっているが、タイマ機能を受信器１００に設け、オン／オフ切替コードおよびオンコードについては第１実施形態と同様とし、オフコードについては操作部５３１〜５３４の各々に個別のオフコードを割り当て、配線器具本体１の制御回路部１８０が、その個別のオフコードを受信すれば、受信時点などの所定の計時開始時点からのその個別のオフコードに対応する所定時間（例えば、操作部５３１に対する個別のコードであれば１分）の経過後に、スイッチＱ１６３がオンであればオフに切り替えるようにしてもよい。
【０１０８】
（第３実施形態）
図１５は本発明による第３実施形態の配線器具を、配線器具本体側からリモコンを取り外した状態で見た斜視図である。
【０１０９】
第３実施形態の配線器具は、図１５に示すように、配線器具本体１と、図では隠れている取付枠と、プレート用継枠３１および化粧プレート３２からなる枠状のプレート３と、リモコン５とにより構成され、ＪＩＳＣ ８３０４の屋内用小型スイッチ類に分類されるワイドハンドル形単用スイッチに準じる寸法に設定される。
【０１１０】
上記配線器具本体１、取付枠、プレート３およびリモコン５のうち、取付枠およびプレート３は従来と同様であるので、以下では配線器具本体１およびリモコン５について詳述する。
【０１１１】
配線器具本体１は、壁に埋設されて使用されるものであり、ボディおよびカバーにより構成されるハウジング１Ａを備えているとともに、操作信号受信用の受信部１２と、例えば押し釦式の操作スイッチ１３と、この操作スイッチ１３に設けられる表示灯１４とを上記ハウジング１Ａの前面に備え、第１実施形態と同様の回路構成の受信器１００をハウジング１Ａ内に収納している。
【０１１２】
リモコン５は、配線器具本体１の前面のプレート３の枠内に収まる平板状のハウジング５Ａを備えているとともに、配線器具本体１の受信部１２に対応する位置に設けられる透過レンズからなる透過窓部５ａと、配線器具本体１の操作スイッチ１３に対応する操作部５３と、この操作部５３における配線器具本体１の表示灯１４に対応する位置に設けられる透過レンズからなる透光部５ｂとを上記ハウジング５Ａの前面に備え、第１実施形態と同様の送信器５００をハウジング５Ａ内に収納している。
【０１１３】
以上、第３実施形態によれば、操作部５３およびこの操作部５３に対する操作に応じて操作信号をワイヤレスで送信する送信器５００を有し、配線器具本体１の前面に設けられたプレート３の枠内に着脱自在に収納されるリモコン５が設けられるので、リモコン保管用としての壁掛け式ホルダーを別途設ける必要がなく、リモコン５と配線器具本体１等とのデザインを統一することができる。また、壁掛け式ホルダーをねじや接着などで壁に固定する手間もなくなる。さらに、専用プレートを使用しないため、他のスイッチと連接可能（この場合は連接プレートを使用）となり、リモコンを変更することで機能追加を容易に実現できる。
【０１１４】
また、配線器具本体１が、リモコン５の操作部５３と対応する操作スイッチ１３を有し、その操作スイッチ１３に対する操作または受信部１２を構成するリモコン受光素子１１１で受信された操作信号に応じて動作するので、リモコン５の取外し時、配線器具本体１の操作スイッチ１３で操作が可能となるとともに、リモコン５の操作部５３で操作が可能となる。
【０１１５】
また、リモコン５が、配線器具本体１の受信部１２に対応する位置に透過窓部５ａを有しているので、配線器具本体１の前面に設けられたプレート３の枠内にリモコン５が着脱自在に収納されている場合でも、配線器具本体１の受信部１２がリモコン５の透過窓部５ａを介して外部を臨むので、別のリモコンで操作が可能となる。また、リモコンを大きくできるため持ちやすく操作性が向上する。
【０１１６】
さらに、配線器具本体１が表示灯１４を有し、リモコン５が、配線器具本体１の表示灯１４に対応する位置に透光部５ｂを有しているので、配線器具本体１の前面に設けられたプレート３の枠内にリモコン５が着脱自在に収納されている場合でも、透光部５ｂを通して配線器具本体１の表示灯１４を確認することができる。
【０１１７】
また、図１５の例では、赤外線で信号を送信するためのＬＥＤ５１１がリモコン５の上側部中央に１個設けられる構成になっているが、リモコン５に透過窓部５ａが設けられる構成の場合には、その透過窓部５ａ内に突出するように、リモコン５に透過窓部５ａが設けられない構成の場合には、リモコン５における配線器具本体１の受信部１２に対応する位置に、上記ＬＥＤ５１１がさらにもう１個設けられる構成でもよい。この構成の場合、配線器具本体１側にリモコン５が取り付けられている場合でも、リモコン５の操作部５３を操作することにより、配線器具本体１の操作スイッチ１３に対する押操作と同様に、負荷を駆動することが可能となる。
【０１１８】
（第４実施形態）
図１６は本発明による第４実施形態の配線器具を、配線器具本体側からリモコンを取り外した状態で見た斜視図、図１７は同配線器具を、配線器具本体側にリモコンを取り付けた状態で見た斜視図である。
【０１１９】
第４実施形態の配線器具は、図１６，図１７に示すように、配線器具本体１と、図では隠れている取付枠とを第３実施形態と同様に備え、プレート３と、リモコン５とが第３実施形態と相違している。
【０１２０】
第４実施形態において、プレート３は、枠内の左側部の上下にそれぞれリモコン５を軸支するための穴部（図では下側の穴部３１のみが見えている）を一体に備える例えばプレート用継枠３１と、第３実施形態と同様の化粧プレート３２とにより構成されている。
【０１２１】
リモコン５は、配線器具本体１の前面に設けられたプレート３の枠内に可動式のハンドルとして着脱自在に収納され、押操作に応じて配線器具本体１の前面側に動いたとき、その配線器具本体１の操作スイッチ１３を押下する突起部５ｃをさらに有する構成になっている。具体的には、ハウジング５Ａに第１実施形態とは異なる形状のものが使用される。第４実施形態のハウジング５Ａの左側部の下端には、プレート３の穴部３１に填り込んで軸支される固定軸部５０１が突設されている一方、ハウジング５Ａの左側部上端には、ハウジング５Ａの前面側に設けられた取外しツマミ５ｄの操作で伸縮し、プレート３の上側の穴部に填り込んで軸支される可動軸部５０２が突設されている。
【０１２２】
また、リモコン５は、第３実施形態との相違点として、操作部５３をハウジング５Ａの背面に備え、透光部５ｂが円状ではなく矩形状になっている。
【０１２３】
このように構成される配線器具では、プレート３の穴部３１にハウジング５Ａの固定軸部５０１を填め込みながら、取外しツマミ５ｄを操作して可動軸部５０２を縮伸させてプレート３の上側の穴部に填め込む。これにより、配線器具本体１の前面に設けられたプレート３の枠内にリモコン５を可動式のハンドルとして収納することができる。また、このとき、ハウジング５Ａに対する固定軸部５０１および可動軸部５０２の位置設定により、リモコン５の回動可能角が所定角に制限されるようにしてある。
【０１２４】
以上、第４実施形態によれば、リモコン５が、配線器具本体１の前面に設けられたプレート３の枠内に可動式のハンドルとして着脱自在に収納され、押操作に応じて配線器具本体１の前面側に動いたとき、その配線器具本体１の操作スイッチ１３を押下する突起部５ｃをさらに有する構成になっているので、配線器具本体１の前面に設けられたプレート３の枠内にリモコン５を収納している場合、配線器具本体１の操作スイッチ１３に代えて、リモコン５を操作のし易い大きな操作用のプレートとして使用することができる。また、リモコン５が機械的に操作されるので、赤外線で信号を送信するためのＬＥＤ５１１をさらに１個設ける構成に比べて、リモコン５の電池５３１の消費電力を節約することができる。
【０１２５】
また、リモコン５が、突起部５ｃの側に操作部５３を有するので、突起部５ｃと反対側に操作部５３を設ける場合に比べ、デザインの自由度が向上する。
【０１２６】
（第５実施形態）
図１８は本発明による第５実施形態の配線器具の分解斜視図である。
【０１２７】
第５実施形態の配線器具は、図１８に示すように、取付枠２と、プレート３とを第３実施形態と同様に備え、配線器具本体１と、ハンドル４と、リモコン５とが第３実施形態と相違している。
【０１２８】
第５実施形態において、配線器具本体１は、第３実施形態とは異なるピアノハンドル式の操作スイッチ１３を備え、この操作スイッチ１３の一部に受信部１２用の孔が設けられている以外は第３実施形態の配線器具本体１と同様に構成される。
【０１２９】
ハンドル４は、配線器具本体１の操作スイッチ１３を押操作するためのものであって配線器具本体１の前面に設けられたプレート３の枠内に設けられるいわゆるワイドハンドルである。このハンドル４は、従来のワイドハンドルとの相違点として、前面にリモコン５を収納するための凹所４ａを有するとともに、配線器具本体１の受信部１２に対応する位置に設けられる透過窓部４００ｄと、配線器具本体１の表示灯１４に対応する位置に設けられる透光部４００ｂとを凹所４ａの底面に備えている。なお、４ｂ，４ｃはリモコン５を指先でつまんで取り外すための凹部である。
【０１３０】
リモコン５は、第３実施形態とは異なる、ハンドル４の凹所４ａに収納される寸法に設定されたハウジング５Ａを備え、このハウジング５Ａの背面に操作部５３を備え、そして透光部５ｂが円状ではなく矩形状になっている以外は第３実施形態のリモコン５と同様に構成される。
【０１３１】
以上のように、配線器具本体１の操作スイッチ１３を押操作するためのものであって配線器具本体１前面のプレート３の枠内に設けられるハンドル４をさらに備え、リモコン５が、配線器具本体１前面のプレート３の枠内のハンドル４に着脱自在に収納されることにより、リモコン５の取外し時、配線器具本体１の操作のし易いハンドル４で操作が可能となるとともに、リモコン５の操作部５３で遠隔操作が可能となる。リモコン５の取付け時、リモコン５が機械的に操作されることになるので、リモコン５の電池５３１の消費電力を節約することができる。
【０１３２】
（第６実施形態）
図１９は本発明による第６実施形態の配線器具を、配線器具本体側からリモコンを取り外した状態で見た斜視図である。
【０１３３】
第６実施形態の配線器具は、図１９に示すように、配線器具本体１が、プレート３の枠内の一部（図では下方側の３分の１程度の部分）に受信部１２を填め込み、リモコン５が、配線器具本体１前面のプレート３の枠内の残部に着脱自在に収納される構造になっている以外は第３実施形態と同様に構成される。
【０１３４】
すなわち、配線器具本体１は、第３実施形態との相違点として、プレート３の枠内の上記一部に填り込む突部１０１を有するハウジング１Ａを備え、その突部１０１の前面に受信部１２が設けられている。
【０１３５】
リモコン５は、第３実施形態との相違点として、プレート３の枠内の上記残部に填り込む寸法に設定されたハウジング５Ａを備え、透過窓部５ａを廃止した構成になっている。
【０１３６】
このように、配線器具本体１が、プレート３の枠内の一部に受信部１２を填め込み、リモコン５が、配線器具本体１前面のプレート３の枠内の残部に着脱自在に収納されることにより、配線器具本体１前面のプレート３の枠内の残部にリモコン５が着脱自在に収納されている場合でも、配線器具本体１の受信部１２がプレート３の枠内の一部から外部を臨むので、リモコン５に透過窓部５ａを設けなくても、別のリモコンで操作が可能となる。
【０１３７】
なお、第６実施形態では、赤外線で信号を送信するためのＬＥＤ５１１がリモコン５の上側部中央に１個設けられる構成になっているが、リモコン５の下側部中央に１個設けられ、突部１０１の上側面にも受信部１２が設けられる構成でもよい。この構成の場合、配線器具本体１側にリモコン５が取り付けられている場合でも、リモコン５の操作部５３を操作することにより、配線器具本体１の操作スイッチ１３に対する押操作と同様に、負荷を駆動することが可能となる。
【０１３８】
（第７実施形態）
図２０は本発明による第７実施形態の配線器具を、配線器具本体側からリモコンを取り外した状態で見た斜視図である。
【０１３９】
第７実施形態の配線器具は、図２０に示すように、配線器具本体１が、プレート３の枠内の一部（図では下方側の３分の１程度の部分）に操作スイッチ１３を填め込み、第６実施形態と同様のリモコン５が前後逆にしてプレート３の枠内の残部に着脱自在に収納される以外は第６実施形態と同様に構成される。
【０１４０】
すなわち、配線器具本体１は、第６実施形態との相違点として、プレート３の枠内の上記一部に填り込む例えばピアノ式の操作スイッチ１３が設けられるハウジング１Ａを備え、矩形状の表示灯１４と、受信部１２とを操作スイッチ１３の前面に有している。
【０１４１】
このように、配線器具本体１０が、プレート３の枠内の一部に操作スイッチ１３を填め込み、リモコン５が、配線器具本体１０前面のプレート３の枠内の残部に着脱自在に収納されることにより、配線器具本体１前面のプレート３の枠内の残部にリモコン５が着脱自在に収納されている場合でも、配線器具本体１０の操作スイッチ１３がプレート３の枠内の一部から外部を臨むので、常に同じ状態で操作スイッチ１３を操作することができ、またリモコン５の電池５３１を節約することができる。
【０１４２】
また、表示灯１４と、受信部１２とを操作スイッチ１３の前面に有することで、配線器具本体１前面のプレート３の枠内の残部にリモコン５が着脱自在に収納されている場合でも、表示灯１４を確認することができるとともに、別のリモコンで操作が可能となる。
【０１４３】
（第８実施形態）
図２１は本発明による第８実施形態の配線器具を、配線器具本体側からリモコンを取り外した状態で見た斜視図、図２２は同リモコンを背面側から見た斜視図である。
【０１４４】
第８実施形態の配線器具は、図２１，図２２に示すように、リモコン５が、ハウジング５Ａの背面の上下端の各々に磁石５ｅを有する一方、配線器具本体１が、リモコン５の各磁石５ｅを磁力により牽引固定する磁石または鉄板などの固定部１９をハウジング１Ａの前面に有し、各固定部１９の表面に銘板が設けられている以外は、第３実施形態と同様に構成される。
【０１４５】
このように、リモコン５が磁石５ｅを有する一方、配線器具本体１が磁石５ｅを磁力により牽引固定する固定部１９を有し、この固定部１９の表面に銘板が設けられているので、リモコン５の着脱が容易となるほか、リモコン５を壁や机などの金属面に取り付けることができる。また、固定部１９を銘板で隠すことができるので見栄えが良くなる。
【図面の簡単な説明】
【０１４６】
【図１】本発明による第１実施形態の配線器具の分解斜視図である。
【図２】同配線器具の斜視図である。
【図３】同配線器具を、配線器具本体側からリモコンを離して見た斜視図である。
【図４】同配線器具の配線器具本体を取付枠に取り付けて見た斜視図である。
【図５】同配線器具の回路図である。
【図６】同配線器具のハンドルの背面図である。
【図７】同配線器具のリモコンの分解斜視図である。
【図８】本発明による第２実施形態の配線器具を、リモコンを離して見た斜視図（ａ）およびリモコンの背面図（ｂ）である。
【図９】同配線器具の配線器具本体の分解斜視図である。
【図１０】同配線器具本体のカバーの正面図（ａ）、上側面図（ｂ）および右側面図（ｃ）である。
【図１１】同配線器具のリモコンの分解斜視図である。
【図１２】同リモコンのリモコンボディの正面図（ａ）、背面図（ｂ）、上側面図（ｃ）、右側面図（ｄ）および（ｂ）におけるＡ−Ａ断面図（ｅ）である。
【図１３】同リモコンのスイッチ構造の説明図である。
【図１４】第２実施形態の変形例を示す図である。
【図１５】本発明による第３実施形態の配線器具を、配線器具本体側からリモコンを取り外した状態で見た斜視図である。
【図１６】本発明による第４実施形態の配線器具を、配線器具本体側からリモコンを取り外した状態で見た斜視図である。
【図１７】同配線器具を、配線器具本体側にリモコンを取り付けた状態で見た斜視図である。
【図１８】本発明による第５実施形態の配線器具の分解斜視図である。
【図１９】本発明による第６実施形態の配線器具を、配線器具本体側からリモコンを取り外した状態で見た斜視図である。
【図２０】本発明による第７実施形態の配線器具を、配線器具本体側からリモコンを取り外した状態で見た斜視図である。
【図２１】本発明による第８実施形態の配線器具を、配線器具本体側からリモコンを取り外した状態で見た斜視図である。
【図２２】同リモコンを背面側から見た斜視図である。
【符号の説明】
【０１４７】
１ 配線器具本体
５ リモコン
１２ 受信部
５３ 操作部
１００ 受信器
４００ｄ  透過窓部
５００ 送信器
【図１】
2008172769.tif 000003
【図２】
2008172769.tif 000004
【図３】
2008172769.tif 000005
【図４】
2008172769.tif 000006
【図５】
2008172769.tif 000007
【図６】
2008172769.tif 000008
【図７】
2008172769.tif 000009
【図８】
2008172769.tif 000010
【図９】
2008172769.tif 000011
【図１０】
2008172769.tif 000012
【図１１】
2008172769.tif 000013
【図１２】
2008172769.tif 000014
【図１３】
2008172769.tif 000015
【図１４】
2008172769.tif 000016
【図１５】
2008172769.tif 000017
【図１６】
2008172769.tif 000018
【図１７】
2008172769.tif 000019
【図１８】
2008172769.tif 000020
【図１９】
2008172769.tif 000021
【図２０】
2008172769.tif 000022
【図２１】
2008172769.tif 000023
【図２２】
2008172769.tif 000024